(57)【要約】【課題】実使用マイクの収音特性に影響されることなく、所望音響特性を実現することができる音響特性補正システムを提供することにある。【解決手段】ＣＰＵ１１は、実測周波数特性２５０から実使用マイク収音特性２７０を差分し、フラット特性マイクによる実使用放収音空間での収音周波数特性２５１を取得する。ＣＰＵ１１は、フラット特性マイクによる実使用放収音空間での収音周波数特性２５１から所望音響特性２６０を減算し、差分周波数特性３５０を取得し、差分周波数特性３５０のピークおよびディップを検出し、ピーク抑圧補正およびディップ強調補正により差分周波数特性のレベル値が略０になるような補正パラメータを取得する。ＣＰＵ１１は、当該補正パラメータをイコライジング処理部１２に与え、イコライジング処理部１２は、与えられた補正パラメータに基づいて放音信号の補正を行う。【選択図】  図５
2008268258.tif 000002
【特許請求の範囲】
【請求項１】
実使用マイクとスピーカとが設置された放収音空間内の音響特性を所望音響特性に補正する音響特性補正システムであって、
無響環境における所望音響特性用マイクの収音周波数特性から、前記無響環境におけるフラット特性マイクの収音周波数特性を差分してなる所望音響特性設定用マイク補正特性パラメータを、前記所望音響特性を有する放収音空間において前記所望音響特性用マイクの収音周波数特性から差分することで得られる前記フラット特性マイクの収音による所望音響特性と、前記無響環境における前記実使用マイクの収音周波数特性から、前記無響環境におけるフラット特性マイクの収音周波数特性を差分してなる実使用マイク補正特性とを記憶する記憶手段と、
前記放収音空間における前記実使用マイクの収音周波数特性から前記実使用マイク補正特性を差分することで、前記フラット特性マイクによる前記放収音空間の音響特性を取得し、該放収音空間の音響特性と前記フラット特性マイクの収音による所望音響特性との差分値を算出し、該差分値に基づく補正特性を演算する補正特性演算手段と、
該補正特性に基づいて初期特性が設定される放音用イコライジング手段と、
を備えた音響特性補正システム。
【請求項２】
請求項１に記載の音響特性補正システムは、さらに、楽曲データを再生して楽曲音信号を生成する楽曲音源と、
前記実使用マイクの収音信号と前記楽曲音信号とをミキシングして放音用信号を生成するミキシング手段と、を備えるとともに、
前記実使用マイクと前記ミキシング手段との間に接続され、前記実使用マイクと前記所望音響特性用マイクとの差分の補正を実行する実使用マイク補正イコライジング手段をさらに備える、
音響特性補正システム。
【発明の詳細な説明】
【技術分野】
【０００１】
この発明は、所定空間の音響特性を所望音響特性に補正する音響特性補正システムおよび当該音響特性補正システムに関するものである。
【背景技術】
【０００２】
現在、一般の人々が気軽に音楽を楽しむ環境が様々ある。その一例として、カラオケボックスがある。カラオケボックスでは、さほど広くない閉空間内に歌唱者が使用するマイクと、マイクで収音した音声や、カラオケ演奏の楽曲音等をミキシングした音を放音するスピーカとが設置されている。このような環境では、環境に応じた固有の音響特性が存在し、利用者に好まれない音響特性を有することがある。これらの問題に対しては、カラオケ装置内等にイコライザを設置し、当該イコライザにより音響特性を補正している。例えば、特許文献１は、ハウリングとなる周波数帯域の信号レベルを減衰させるようにイコライザを設定するものであり、特許文献２は、音声特性の補正は行うが、補正後の特性が極端なものにならないように、操作者によって補正レベルおよび補正周波数帯域を適宜設定するものである。
【特許文献１】特開平８−８４３９４号公報
【特許文献２】特開平７−３８９８８号公報
【発明の開示】
【発明が解決しようとする課題】
【０００３】
前述の音響特性補正システムでは、測定を行う際に当然ながらマイクを用いるため、マイクの収音特性を含んだ音響特性が測定される。このため、マイクを持っている歌唱者までの音響伝搬特性と実測した音響特性とは異なる。このため、実測音響特性を基に所望音響特性を補正する補正パラメータを設定した場合、この補正パラメータで歌唱者までの音響伝搬特性を補正すると、補正後の音響特性は、所望音響特性からマイクの収音特性分だけずれた特性となる。
【０００４】
したがって、本発明の目的は、実使用マイクの収音特性に影響されることなく、所望音響特性を実現することができる音響特性補正システムを提供することにある。
【課題を解決するための手段】
【０００５】
この発明は、実使用マイクとスピーカとが設置された放収音空間内の音響特性を所望音響特性に補正する音響特性補正システムに関するものであり、当該音響特性補正システムは、以下に示す特徴を有する。
【０００６】
記憶手段には、フラット特性マイクの収音による所望音響特性と実使用マイク補正特性とが記憶されている。フラット特性マイクの収音による所望音響特性は、無響環境における所望音響特性用マイクの収音周波数特性から、無響環境におけるフラット特性マイクの収音周波数特性を差分してなる所望音響特性設定用マイク補正特性パラメータを、所望音響特性を有する放収音空間において所望音響特性用マイクの収音周波数特性から差分することで得られる。実使用マイク補正特性は、無響環境における実使用マイクの収音周波数特性から、無響環境におけるフラット特性マイクの収音周波数特性を差分してなる。
【０００７】
補正特性演算手段は、放収音空間における実使用マイクの収音周波数特性から実使用マイク補正特性を差分することで、フラット特性マイクによる放収音空間の音響特性を取得する。さらに、補正特性演算手段は、実使用の放収音空間におけるフラット特性マイクによる音響特性とフラット特性マイクの収音による所望音響特性との差分値を算出し、該差分値に基づく補正特性を演算する。
【０００８】
放音用イコライジング手段は、補正特性に基づいて初期特性が設定され、放音信号を補正して出力する。
【０００９】
このような構成では、実使用するマイクの収音特性が補正され、実使用するマイクの影響が抑圧された状態で所望音響特性の補正を行うための補正特性が設定される。
【００１０】
また、この発明の音響特性補正システムは、さらに、楽曲データを再生して楽曲音信号を生成する楽曲音源と、実使用マイクの収音信号と楽曲音信号とをミキシングして放音用信号を生成するミキシング手段と、を備える。そして、この発明の音響特性補正システムは、前記実使用マイクと前記ミキシング手段との間に接続され、前記実使用マイクと前記所望音響特性用マイクとの差分の補正を実行する実使用マイク補正イコライジング手段をさらに備える。
【００１１】
この構成では、実使用マイクと所望音響特性用マイクとの差分の補正が、マイク系でさらに実行される。これにより、さらに忠実に所望音響特性への補正が行われる。
【発明の効果】
【００１２】
この発明によれば、実際に放収音空間で使用するマイクの収音周波数特性による影響を抑圧して、所望音響特性を精度良く実現する音響特性補正システムを提供することができる。
【発明を実施するための最良の形態】
【００１３】
本発明の実施形態に係る音響特性補正システムについて、図を参照して説明する。
図１は、本実施形態の音響特性補正システムの構成を示すブロック図であり、（Ａ）は音響特性補正設定モードでの構成を示し、（Ｂ）は通常使用モードでの構成を示す。
図２（Ａ）は特性測定部２２の構成を示すブロック図であり、図２（Ｂ）は周波数帯域の分割概念を示す図である。
図３はイコライジング処理部１２の構成を示すブロック図である。
図１（Ａ）に示すように、本実施形態の音響特性補正システムは、音響特性補正設定モードでは、ＣＰＵ１１、メモリ１１１、イコライジング処理部１２、Ｄ／Ａコンバータ１３、パワーアンプ１４、スピーカ１５、実使用マイク１６、エコー処理部１７、Ａ／Ｄコンバータ１８、テスト音源２１、特性測定部２２を備える。
【００１４】
ＣＰＵ１１は図示しない操作部等を介して音声特性補正設定開始の入力を受け付けると、テスト音源２１へテスト音発生開始制御を与える。テスト音源２１は、テスト音源発生開始制御を受け付けると、予め設定された信号もしくはＣＰＵ１１により指定された音響特性測定用信号（テスト信号）、例えば、ホワイトノイズ信号やピンクノイズ信号を生成する。Ｄ／Ａコンバータ１３は、ディジタル形式の音響特性測定用信号をアナログ信号に変換して、パワーアンプ１４へ与える。パワーアンプ１４は、予め設定したもしくはＣＰＵ１１により指定された所定増幅率で音響特性測定用信号を増幅してスピーカ１５へ与え、スピーカ１５はこの音響特性測定用信号を、音響特性を測定する実使用放収音空間内へ放音する。例えば、カラオケボックスの音響特性を測定する場合には、カラオケボックスに設置されているスピーカ１５から音響特性測定用信号による音を放音する。
【００１５】
実使用マイク１６は、スピーカ１５と同じ部屋の予め設定された位置に設置されている。例えば、カラオケボックスでは、歌唱者が通常立つ、立ち位置に設置されている。実使用マイク１６は、スピーカ１５から放音された音響特性測定用信号による音を収音して、Ａ／Ｄコンバータ１８へ出力する。Ａ／Ｄコンバータ１８は、実使用マイク１６の収音した音をアナログ形式からディジタル形式へ変換し、エコー処理部１７に与える。エコー処理部１７は、後述する通常使用モードでは歌唱者の好みのエコーを付加するが、音響特性補正設定モードではエコー処理を行わずに特性測定部２２へ与える。
【００１６】
特性測定部２２は、予め設定された測定周波数範囲ＦＺを所定数ｍで分割した各部分周波数帯域ＦＢ１〜ＦＢｍの信号レベルを検出してＣＰＵ１１へ出力する。具体的に、部分周波数帯域ＦＢ１〜ＦＢｍは、予めスピーカ特性やマイク特性等から設定した測定すべき周波数帯域に相当する測定周波数範囲ＦＺを例えば対数軸において等間隔の周波数帯でｍ個に分割した帯域からなり、低域側から順に、ＦＢ１，ＦＢ２，・・・ＦＢｍに設定されている。特性測定部２２は、部分周波数帯域の個数ｍ個分のバンドパスフィルタ（ＢＰＦ）２２１，２２２〜２２ｍと、各部分周波数帯域の信号レベルを検出する信号レベル検出部２３１，２３２〜２３ｍとを備える。それぞれの部分周波数帯域に対応するＢＰＦと信号レベル検出部とは直列接続され、各部分周波数帯域に対するＢＰＦと信号レベル検出部との直列回路が並列接続される構成からなる。そして、このようなＦＢｍ信号検出用直列回路群がＡ／Ｄコンバータ１８とＣＰＵ１１との間で並列接続される構成となる。このような構成により、Ａ／Ｄコンバータ１８から入力された収音信号は、各ＢＰＦ２２１〜２２ｍでそれぞれの帯域成分に分解される。各ＢＰＦ２２１〜２２ｍで生成された部分周波数帯域成分信号は、各信号レベル検出部２３１〜２３ｍでレベル検出され、このレベル値が部分周波数帯域情報とともにＣＰＵ１１へ出力される。また、特性測定部２２は、測定周波数範囲ＦＺでの信号レベルを検出する全帯域信号レベル検出部２３０を備える。全帯域信号レベル検出部２３０は、各直列回路と並列に接続され、Ａ／Ｄコンバータ１８から入力される収音信号の信号レベルを検出して、元信号レベル値としてＣＰＵ１１へ出力する。
【００１７】
ＣＰＵ１１は、メモリ１１１に予め記憶されている所望音響特性パラメータ（本発明の「フラット特性マイクの収音による所望音響特性」に相当）と実使用マイク補正特性パラメータ（本発明の「実使用マイク補正特性」に相当）とを用いて、実使用放収音空間（例えばカラオケボックス）の音響特性を所望音響特性に補正する補正パラメータを設定する。
【００１８】
ここで、所望音響特性パラメータは、所望音響特性設定用マイク補正特性を用いて設定される。所望音響特性設定用マイク補正特性は、無響室等の無響環境において、所望音響特性を有する放収音空間で使用するマイク（以下、「所望音響特性環境下使用マイク」と称する）で収音した収音周波数特性と、同じ無響環境においてフラットな周波数特性を有するマイク（以下、「フラット特性マイク」と称する）を用いて収音した収音周波数特性とを差分して、この差分を補正するパラメータにより構成される。そして、所望音響特性パラメータは、所望音響特性を有する放収音空間内で、所望音響特性環境下使用マイクで収音した収音周波数特性から、所望音響特性設定用マイク補正特性を差分することで得られる。
【００１９】
また、実使用マイク補正特性パラメータは、無響環境において実使用マイク１６を用いて収音した収音周波数特性と、同じ無響環境においてフラット特性マイクを用いて収音した収音周波数特性とを差分して、この差分を補正するパラメータにより構成される。
これら、所望音響特性パラメータおよび実使用マイク補正特性パラメータは、各部分周波数帯域に関連付けして正規化された状態で記憶されている。
【００２０】
ＣＰＵ１１は、各部分周波数帯域成分信号のレベル値を元信号レベル値で正規化する。
ＣＰＵ１１は、正規化された収音信号の各部分周波数帯域成分信号のレベル値に対して、実使用マイク補正特性パラメータを差分して、フラット特性マイクによる実使用放収音空間での収音周波数特性を取得する。
【００２１】
ＣＰＵ１１は、フラット特性マイクによる実使用放収音空間の収音周波数特性と、所望音響特性パラメータとの差分を算出することで、差分周波数特性を取得する。ＣＰＵ１１は、差分周波数特性のピークおよびディップを検出する。ここで、ピークとは、差分周波数特性が正方向に極大値となる周波数の部分であり、ディップとは、差分周波数特性が負方向に極大値（極小値）となる周波数の部分である。
【００２２】
ＣＰＵ１１は、検出したピークを抑圧し、ディップを増強する補正を行う補正特性を算出し、イコライジング処理部１２の各パラメトリックイコライザ（ＰＥＱ）１２１〜１２ｎに与える補正パラメータを設定する。補正パラメータとは、差分周波数特性のピークおよびディップの生じる部分周波数帯域の中心周波数からなる設定周波数、差分周波数特性のピークおよびディップの設定レベル値、差分周波数特性のピークおよびディップの周辺周波数特性に準じたＱ値を備える。設定周波数および設定レベル値は、差分周波数特性に対するピーク検出等により得られ、Ｑ値は、予め設定した複数のＱ値候補を仮に設定した状態で補正シミュレーションを行い、補正後の差分周波数特性が最も０レベルに近いＱ値候補により得られる。なお、本実施形態では仮補正結果をシミュレーションにより取得するが、実環境において自動再測定を行うようにしても良い。
【００２３】
イコライジング処理部１２は、ＰＥＱの多段カスケード接続からなり、図３の例では、ｎ個のＰＥＱ１２１〜１２ｎのカスケード接続からなる。各ＰＥＱ１２１〜１２ｎは、ＣＰＵ１１から補正パラメータが与えられており、当該補正パラメータによりイコライジング処理を行う。これにより、スピーカ１５と実使用マイク１６とが設置された部屋の音響特性を所望音響特性に補正して放音させるイコライジング処理部１２を形成する。
【００２４】
このような設定を行った後、実使用時（通常モード）には、図１（Ｂ）に示すような回路構成からなる装置を用いる。以下の説明では、カラオケボックスでのカラオケシステムの場合を示す。なお、カラオケシステムのシステム構成は既知であるので、詳細な説明は省略する。
【００２５】
図１（Ｂ）に示すように、通常使用モードでは、本実施形態の音響特性補正システムは、ＣＰＵ１１、イコライジング処理部１２、Ｄ／Ａコンバータ１３、パワーアンプ１４、スピーカ１５、実使用マイク１６、エコー処理部１７、Ａ／Ｄコンバータ１８、ミキサ１９、音源２０を備える。
【００２６】
音源２０は、例えば既知のカラオケ用の音源であり、カラオケ曲の楽曲データに基づいてディジタル形式の楽曲音信号を生成してミキサ１９へ出力する。実使用マイク１６は、歌唱者の歌唱音を収音して収音信号をＡ／Ｄコンバータ１８へ出力する。Ａ／Ｄコンバータ１８は、収音信号をディジタル形式に変換してエコー処理部１７へ出力する。エコー処理部１７は、歌唱者等から別途設定されたエコー指示内容に従ってエコー処理を加え、ミキサ１９へ出力する。ミキサ１９は、楽曲音信号とエコー処理後の収音信号とをミキシングして放音用信号を生成し、イコライジング処理部１２へ出力する。
【００２７】
イコライジング処理部１２は、上述の音響特性補正モードで設定された各ＰＥＱ１２１〜１２ｎにより、放音用信号を補正し、Ｄ／Ａコンバータ１３へ出力する。Ｄ／Ａコンバータ１３は、音響特性が補正された放音用信号（音響特性補正放音信号）をディジタル形式からアナログ形式に変換し、パワーアンプ１４へ出力する。パワーアンプ１４は、音響特性補正放音信号を増幅してスピーカ１５に与え、スピーカ１５は、この増幅された音響特性補正放音信号に基づいて駆動し、部屋内へ放音する。このような構成を用いることで、スピーカ１５から放音された楽曲音および歌唱音が、所望音響特性に補正されて、歌唱者へ到達する。これにより、歌唱者は、気持ち良くカラオケボックスでの歌唱を行うことができる。この際、実使用マイク１６の収音周波数特性による所望音響特性への補正に対する影響が抑圧され、精度良く所望音響特性を実現することができる。
【００２８】
次に、具体的な音響特性補正の方法を図４、図５を参照して説明する。
図４は音響特性補正方法のシステムフローを示す図である。
図５は音響特性補正方法を説明するため説明図である。
【００２９】
本実施形態の音響特性補正システムは、音響特性補正設定モードが実行されると特性測定部２２で、測定対象周波数帯域ＦＡの各部分周波数帯域の帯域成分信号のレベル値を検出する（Ｓ１０１）。すなわち、音響特性補正システムは、カラオケボックス等の実使用空間において、図５（Ａ）に示すような実測周波数特性２５０（実使用マイク１６による収音信号の周波数特性）の各部分周波数帯域の帯域成分信号のレベル値を取得する。ここで、測定対象周波数帯域ＦＡは、収音および放音が完全に行われるような周波数帯域であり、図２（Ｂ）に示すような一方的に信号レベルが減少する高域や低域を含まない。
【００３０】
ＣＰＵ１１は、各帯域成分信号のレベル値を、予め記憶した実使用マイク補正特性パラメータで補正して、フラット特性マイクによる実使用放収音空間での収音周波数特性を算出する（Ｓ１０２）。すなわち、ＣＰＵ１１は、実測の各帯域成分信号のレベル値を、実使用マイク補正特性パラメータの対応する帯域成分信号レベル値で補正し、フラット特性マイクを用いて実使用放収音空間（カラオケボックス内等）で収音した場合の収音周波数特性の各帯域成分信号レベル値を演算により取得する。
【００３１】
例えば、図５の例であれば、（Ａ）に示す実測の実測周波数特性２５０から（Ｂ）に示す実使用マイク収音特性２７０を差分し、フラット特性マイクによる実使用放収音空間での収音周波数特性２５１を取得する。
【００３２】
ＣＰＵ１１は、フラット特性マイクによる実使用放収音空間での収音周波数特性から、予め記憶した所望音響特性パラメータ（フラット特性マイクによる所望音響特性）を差分して差分周波数特性を取得する（Ｓ１０３）。すなわち、ＣＰＵ１１は、フラット特性マイクによる実使用放収音空間での収音周波数特性の各帯域成分信号のレベル値を、所望音響特性パラメータの対応する帯域成分信号レベル値でそれぞれ減算し、差分周波数特性の各帯域成分信号レベル値を取得する。例えば、図５の例であれば、（Ｃ）に示すフラット特性マイクによる実使用放収音空間での収音周波数特性２５１から所望音響特性パラメータに基づく所望音響特性２６０を減算し、差分周波数特性３５０を取得する。
【００３３】
ＣＰＵ１１は、差分周波数特性から、ピークおよびディップを検出する（Ｓ１０４）。すなわち、ＣＰＵ１１は、差分値列の周波数特性における所望音響特性から高いレベル側の極大値と、所望音響特性から低いレベル側の極小値とを抽出し、各極大値、極小値に対する部分周波数帯域を関連付けして取得する。図５の例であれば、（Ｃ）に示すような差分周波数特性３５０のピークＰｅａｋとディップＤｉｐとを検出する。
【００３４】
ＣＰＵ１１は、各ピークおよびディップを差分値（絶対値）レベルの高い側から降順にソートし、レベルの高い順に補正対象ピークおよび補正対象ディップを設定する（Ｓ１０５）。この際、補正対象とするピークおよびディップ数は、イコライジング処理部１２のＰＥＱ１２１〜１２ｎの個数に基づいて設定される。
【００３５】
ＣＰＵ１１は、補正対象ピークおよび補正対象ディップのレベルを取得し、当該レベルの逆符号からなる補正レベルを算出する。ＣＰＵ１１は、補正対象ピークおよび補正対象ディップに対応する部分周波数帯域情報に基づいて、当該部分周波数帯域の中心周波数を補正周波数として取得する（Ｓ１０７）。図５の例であれば、（Ｄ）の各ピークＰｅａｋ／ディップＤｉｐのレベルの逆符号を補正レベルとし、それぞれの対応する部分周波数帯域の中心周波数を補正周波数として取得する。
【００３６】
ＣＰＵ１１は、各ピークＰｅａｋ／ディップＤｉｐに対する補正用のＱ値を設定する。この際、ＣＰＵ１１は、複数種類のＱ値パターンＰＱ（Ａ）〜ＰＱ（Ｅ）を予め記憶しており、各Ｑ値パターンＰＱ（Ａ）〜ＰＱ（Ｅ）を読み出して、各ピークおよびディップに割り当てる。そして、ＣＰＵ１１は、各Ｑ値パターンを設定すると、シミュレーションを行って、仮補正周波数特性を算出する。すなわち、Ｑ値とゲインとの組み合わせ毎に補正特性が予め記憶されており、ＣＰＵ１１は、設定されたＱ値とゲインとの組み合わせに基づいて補正特性を読み出し、取得した収音信号の周波数特性を擬似的に補正する演算を行う。
【００３７】
ＣＰＵ１１は、設定したＱ値毎の補正後差分値周波数特性を比較する。具体的に、例えば、ＣＰＵ１１は、各補正後差分値周波数特性の各部分周波数帯域の差分レベルの絶対値を取得し、差分レベルの絶対値の総和を比較する。また、例えば、ＣＰＵ１１は、各補正後差分値周波数特性の各部分周波数帯域の差分レベルの絶対値を取得し、最大の差分値レベルの絶対値を比較する。
【００３８】
ＣＰＵ１１は、このような比較結果に基づいて差分判定量が最小となる特性を検出し、対応するＱ値パターンを取得する（Ｓ１０９）。ここで、差分判定量とは、差分レベルの絶対値の総和や、最大の差分値レベルの絶対値である。すなわち、差分値レベルの絶対値の総和を用いる場合には、ＣＰＵ１１は、各補正後差分値周波数特性の差分値レベルの絶対値の総和が最小の補正後差分値周波数特性を選択し、対応する最適なＱ値パターンを検出する。また、最大の差分値レベルの絶対値を用いる場合には、ＣＰＵ１１は、各補正後差分値周波数特性の各最大の差分値レベルの絶対値を取得する。ＣＰＵ１１は、最小になる最大の差分値レベルの絶対値を選択し、対応する最適なＱ値パターンを検出する。例えば、図５の例であれば、（Ｅ）に示すような対象周波数帯域ＦＡで差分周波数特性のレベル値が略０になる補正後差分値周波数特性３５１に対応するＱ値パターンを検出する。
【００３９】
ＣＰＵ１１は、最適なＱ値パターンを検出すると、各ＰＥＱに与えるＱ値と、対応する設定周波数および補正レベルとからなるパラメータリストを生成する（Ｓ１１０）。
ＣＰＵ１１は、生成したパラメータリストに基づいて、イコライジング処理部１２のカスケード接続された各ＰＥＱ１２１〜１２ｎへ対応するパラメータを送信する（Ｓ１１１）。
【００４０】
イコライジング処理部１２の各ＰＥＱ１２１〜１２ｎは、与えられたパラメータに基づいて、イコライジング処理を実行する。これにより、予め設定された所望音響特性の音響環境を部屋内（スピーカから歌唱者位置への系）に実現することができる。この際、実使用マイクの収音周波数特性の影響を抑圧する補正を行っているので、より正確にスピーカから歌唱者位置への系の音響特性を所望音響特性に一致させることができる。
【００４１】
また、前述の説明では、一つのピークおよびディップに対してＰＥＱを一つ割り当てる例を示したが、これに限らず、差分値周波数特性２７０の形状に応じて、二つの連続するピークに対して三つのＰＥＱを割り当てる等、ピークおよびディップ数とＰＥＱ数とを同じにしなくてもよい。この場合、前述の設定周波数や補正レベルは、差分値周波数特性３５０の形状に応じて設定すればよい。
【００４２】
なお、前述の説明では、実使用マイクが所望音響特性環境下使用マイクと一致する場合には、イコライジング処理部１２で、マイク系およびミュージック系がともに所望音響特性に補正される。しかしながら、実使用マイクと所望音響特性環境下使用マイクとは、必ずしも一致しない。したがって、これらのマイクの差分を補正するため、マイク系、すなわち実使用マイク１６からミキサ１９までの系に、マイク用イコライジング処理部１２０を接続する。
【００４３】
図６は、マイク用イコライジング処理部１２０を有する音響特性補正システムを備えたカラオケ装置の構成を示すブロック図である。
図６に示す音響特性補正システムを備えたカラオケ装置は、Ａ／Ｄコンバータ１８とエコー処理部１７との間にマイク用イコライジング処理部１２０が接続されたものであり、ＣＰＵ１１を除く他の構成は図１に示したカラオケ装置と同じであり、当該同じ部分は説明を省略する。
【００４４】
マイク用イコライジング処理部１２０は、イコライジング処理部１２と同様にＰＥＱを複数備えた構成からなる。マイク用イコライジング処理部１２０には、ＣＰＵ１１から実使用マイクと所望音響特性環境下使用マイクとの差分を補正する補正パラメータが予め設定されており、当該補正パラメータに基づいて、Ａ／Ｄ変換された収音信号をイコライジング処理してエコー処理部１７へ与える。
【００４５】
このような構成とすることで、前述のイコライジング処理部１２で行われる補正により、放収音空間の音響特性が実使用マイクと所望音響特性環境下使用マイクとの差分量だけ所望音響特性に一致しない特性となっても、予めこの一致しない特性分がマイク用イコライジング処理部１２０で補正される。これにより、さらに高精度に所望音響特性に一致する補正を行うことができる。
【００４６】
なお、前述の説明では、各モード時で異なる構成要素からなる場合を示したが、図１（Ａ）、（Ｂ）の構成を同時に有する音響特性補正システムであってもよい。すなわち、スイッチ等の回路切替部を備え、回路切替部の切替処理により、音響特性補正設定モードと通常使用モードとを使い分けるようにしてもよい。
【図面の簡単な説明】
【００４７】
【図１】本実施形態の音響特性補正システムの構成を示すブロック図である。
【図２】特性測定部２２の構成を示すブロック図、および、周波数帯域の分割概念を示す図である。
【図３】イコライジング処理部１２の構成を示すブロック図である。
【図４】音響特性補正方法のシステムフローを示す図である。
【図５】音響特性補正方法を説明するため説明図である。
【図６】実使用マイクの影響を抑圧する音響特性補正システムを備えたカラオケ装置の構成を示すブロック図である。
【符号の説明】
【００４８】
１１−ＣＰＵ、１２−イコライジング処理部、１３−Ｄ／Ａコンバータ、１４−パワーアンプ、１５−スピーカ、１６−実使用マイク、１７−エコー処理部、１８−Ａ／Ｄコンバータ、１９−ミキサ、２０−音源、２１−テスト音源、２２−特性測定部、１２０−マイク用イコライジング処理部、１２１〜１２ｎ−パラメトリックイコライザ（ＰＥＱ）
【図１】
2008268258.tif 000003
【図２】
2008268258.tif 000004
【図３】
2008268258.tif 000005
【図４】
2008268258.tif 000006
【図５】
2008268258.tif 000007
【図６】
2008268258.tif 000008